(57)【要約】【課題】ＭＡＣアドレス学習機能を持たないスイッチ装置とＭＡＣアドレス学習機能を持つスイッチ装置との間の接続にも迂回経路を確保する。【解決手段】本発明の通信中継システムＳにおけるＷＡＮ側ノード装置１００は、障害監視部１０２が、ＬＡＮ側第１入出力部１０３ａおよびＬＡＮ側第２入出力部１０３ｂにおいて発生しうる障害を監視し、ＬＡＮ側第１入出力部１０３ａまたはＬＡＮ側第２入出力部１０３ｂにおいて障害が発生したことを検知したならば、該障害の発生を切り換え制御部１０１へと通知し、この通知を受けた切り換え制御部１０１は、障害が発生したＬＡＮ側入出力部の選択を中止し、他のＬＡＮ側入出力部を選択して切り換え、ＬＡＮ側第１入出力部１０３ａまたはＬＡＮ側第２入出力部１０３ｂのうち切り換え制御部１０１により選択されている方を介してＬＡＮ側通信接続装置２００へパケットを受け渡す。【選択図】        図１
2008167315.tif 000002
【特許請求の範囲】
【請求項１】
広域通信網を構成する広域通信網ノード装置と、局所的通信網を構成する局所的通信網接続装置とを通信可能に冗長接続する回線冗長接続方法であって、
前記広域通信網ノード装置において、前記広域通信網と前記局所的通信網との間で送受信されるパケットを、複数の広域通信網側入出力工程のうちのいずれかを介して送受信するように切り換える切り換え制御工程を含み、
前記切り換え制御工程によって切り換えられている広域通信網側入出力工程を介して、前記局所的通信網から前記広域通信網へのパケットが受信されるとともに、該広域通信網から該局所的通信網へのパケットが送信されることを特徴とする回線冗長接続方法。
【請求項２】
前記複数の広域通信網側入出力工程において発生する障害を監視する広域通信網側障害監視工程をさらに含み、
前記切り換え制御工程は、前記広域通信網側障害監視工程によって障害の発生が検知されると、該障害監視工程によって障害の発生が検知された際に切り換えられている広域通信網側入出力工程とは異なる他の広域通信網側入出力工程へと切り換えることを特徴とする請求項１に記載の回線冗長接続方法。
【請求項３】
前記局所的通信網接続装置において受信したパケットの送信元端末識別情報を、該パケットを受信した入出力工程の識別情報に対応付けて記憶する送信元端末識別情報記憶工程と、
前記局所的通信網から前記広域通信網への送信パケットを、前記送信元端末識別情報記憶工程によって記憶される前記入出力工程の識別情報に基づき複数の局所的通信網側入出力工程から選択した局所的通信網側入出力工程を介して前記広域通信網ノード装置へと送信する入出力工程選択工程と、
前記局所的通信網側入出力工程において発生する障害を監視する局所的通信網側障害監視工程と、
前記局所的通信網側障害監視工程によって障害の発生が検知されると、該局所的通信網側障害監視工程によって障害の発生が検知された局所的通信網側入出力工程に対応付けられて記憶されている前記送信元端末識別情報を消去する送信元端末識別情報消去工程と
をさらに含んだことを特徴とする請求項１または２に記載の回線冗長接続方法。
【請求項４】
前記複数の局所的通信網側入出力工程は、全ての局所的通信網側入出力工程が属するＶＬＡＮ（Virtual Local Area Network）全部に属する局所的通信網側入出力工程を少なくとも一つ含むことを特徴とする請求項３に記載の回線冗長接続方法。
【請求項５】
局所的通信網を構成する局所的通信網接続装置と通信可能に冗長接続される広域通信網を構成する広域通信網ノード装置であって、
前記広域通信網と前記局所的通信網との間で送受信されるパケットを入出力する複数の広域通信網側入出力手段と、
前記複数の広域通信網側入出力手段のうちのいずれかを介して前記パケットを送受信するように切り換える切り換え制御手段と
を備え、
前記切り換え制御手段によって切り換えられている広域通信網側入出力手段を介して、前記局所的通信網から前記広域通信網へのパケットが受信されるとともに、該広域通信網から該局所的通信網へのパケットが送信されることを特徴とする広域通信網ノード装置。
【発明の詳細な説明】
【技術分野】
【０００１】
本発明は、広域通信網を構成する広域通信網ノード装置と、局所的通信網を構成する局所的通信網接続装置とを通信可能に冗長接続する回線冗長接続方法および広域通信網ノード装置に関する。
【背景技術】
【０００２】
従来から、ネットワークがイーサネット（登録商標）によって構成されるネットワークであるとき、ネットワークの障害回復力を確保するために、ネットワークに冗長構成を持たせるスパニングツリー（スパニングツリープロトコル）が使用される。スパニングツリーでは、通常使用する経路を一つ設定し、それ以外の経路は障害時の迂回経路とする。
【０００３】
例えば、特許文献１には、スパニングツリーを使用するネットワークにおいて、通常使用する経路に接続されたスイッチ装置のポートに障害が発生した場合に、当該スイッチ装置が学習していたＭＡＣアドレス（Media Access Control address）を利用して、迅速に迂回経路を探索することが可能な通信制御方法が開示されている。
【０００４】
また、ネットワークにおいて、ユーザ回線を収容するイーサネット（登録商標）・ネットワークをそれぞれの接続拠点同士を結ぶことによって接続したり、接続拠点を介して異なるイーサネット（登録商標）・ネットワーク同士を接続したりするバックボーン回線は、高い信頼性が要求されるため、特に、ＳＯＮＥＴ／ＳＤＨ（Synchronous Optical NETwork/Synchronous Digital Hierarchy）によって構成される場合が多い。
【０００５】
そして、イーサネット（登録商標）・ネットワークがＳＯＮＥＴ／ＳＤＨによって接続・中継される場合に、信頼性をより高めるために、イーサネット（登録商標）・ネットワークとＳＯＮＥＴ／ＳＤＨとの接続に関し、ＳＯＮＥＴ／ＳＤＨ網側のＳＯＮＥＴ／ＳＤＨスイッチ装置と、イーサネット（登録商標）・ネットワーク側のイーサネット（登録商標）・スイッチ装置との接続にも冗長構成を導入することが考案されてきた。
【０００６】
【特許文献１】特開２００４−２９７４７５号公報
【発明の開示】
【発明が解決しようとする課題】
【０００７】
しかしながら、上記特許文献１に代表される従来技術では、複数のスイッチ装置の全てがイーサネット（登録商標）・スイッチ装置であるので、ＭＡＣアドレスの学習機能を有し、迂回経路の探索にＭＡＣアドレスを使用することが可能となるが、ＳＯＮＥＴ／ＳＤＨスイッチ装置のようなイーサネット（登録商標）・スイッチ装置以外の、ＭＡＣアドレス学習機能を持たないスイッチ装置が混在する場合には、迂回経路を探索して確保することができない。
【０００８】
具体的には、ＳＯＮＥＴ／ＳＤＨ網側のＳＯＮＥＴ／ＳＤＨスイッチ装置と、イーサネット（登録商標）・ネットワーク側のイーサネット（登録商標）・スイッチ装置との間の接続にも冗長構成を導入する場合、ＳＯＮＥＴ／ＳＤＨスイッチ装置はＭＡＣアドレス学習機能を持たないため、特許文献１に示すように、ＭＡＣアドレスを手がかりに迂回経路を探索して確保することは不可能である。
【０００９】
本発明は、上記問題点（課題）を解消するためになされたものであって、ＭＡＣアドレス学習機能を持たないスイッチ装置とＭＡＣアドレス学習機能を持つスイッチ装置との間の接続にも迂回経路を確保することが可能な回線冗長接続方法および広域通信網ノード装置を提供することを目的とする。
【課題を解決するための手段】
【００１０】
上述した問題を解決し、目的を達成するため、本発明は、広域通信網を構成する広域通信網ノード装置と、局所的通信網を構成する局所的通信網接続装置とを通信可能に冗長接続する回線冗長接続方法であって、前記広域通信網ノード装置において、前記広域通信網と前記局所的通信網との間で送受信されるパケットを、複数の広域通信網側入出力工程のうちのいずれかを介して送受信するように切り換える切り換え制御工程を含み、前記切り換え制御工程によって切り換えられている広域通信網側入出力工程を介して、前記局所的通信網から前記広域通信網へのパケットが受信されるとともに、該広域通信網から該局所的通信網へのパケットが送信されることを特徴とする。
【００１１】
また、本発明は、上記発明において、前記複数の広域通信網側入出力工程において発生する障害を監視する広域通信網側障害監視工程をさらに含み、前記切り換え制御工程は、前記広域通信網側障害監視工程によって障害の発生が検知されると、該障害監視工程によって障害の発生が検知された際に切り換えられている広域通信網側入出力工程とは異なる他の広域通信網側入出力工程へと切り換えることを特徴とする。
【００１２】
また、本発明は、上記発明において、前記局所的通信網接続装置において受信したパケットの送信元端末識別情報を、該パケットを受信した入出力工程の識別情報に対応付けて記憶する送信元端末識別情報記憶工程と、前記局所的通信網から前記広域通信網への送信パケットを、前記送信元端末識別情報記憶工程によって記憶される前記入出力工程の識別情報に基づき複数の局所的通信網側入出力工程から選択した局所的通信網側入出力工程を介して前記広域通信網ノード装置へと送信する入出力工程選択工程と、前記局所的通信網側入出力工程において発生する障害を監視する局所的通信網側障害監視工程と、前記局所的通信網側障害監視工程によって障害の発生が検知されると、該局所的通信網側障害監視工程によって障害の発生が検知された局所的通信網側入出力工程に対応付けられて記憶されている前記送信元端末識別情報を消去する送信元端末識別情報消去工程とをさらに含んだことを特徴とする。
【００１３】
また、本発明は、上記発明において、前記複数の局所的通信網側入出力工程は、全ての局所的通信網側入出力工程が属するＶＬＡＮ（Virtual Local Area Network）全部に属する局所的通信網側入出力工程を少なくとも一つ含むことを特徴とする。
【００１４】
また、本発明は、局所的通信網を構成する局所的通信網接続装置と通信可能に冗長接続される広域通信網を構成する広域通信網ノード装置であって、前記広域通信網と前記局所的通信網との間で送受信されるパケットを入出力する複数の広域通信網側入出力手段と、前記複数の広域通信網側入出力手段のうちのいずれかを介して前記パケットを送受信するように切り換える切り換え制御手段とを備え、前記切り換え制御手段によって切り換えられている広域通信網側入出力手段を介して、前記局所的通信網から前記広域通信網へのパケットが受信されるとともに、該広域通信網から該局所的通信網へのパケットが送信されることを特徴とする。
【発明の効果】
【００１５】
本発明によれば、局所的通信網を構成する局所的通信網接続装置側で特別な装置構成を必要とせず、広域通信網を構成する広域通信網ノード装置側で通信リンクを落とす制御を行わず、また、Link Aggregationを使用することなく、広域通信網ノード装置と局所的通信網接続装置とを通信可能に冗長接続することが可能になるという効果を奏する。
【００１６】
また、本発明によれば、複数の広域通信網側入出力工程において発生する障害を監視し、障害発生時に、直ちに、障害監視工程によって障害の発生が検知された際に切り換えられている広域通信網側入出力工程から他の広域通信網側入出力工程へと切り換えるので、迅速な障害対処が可能になるという効果を奏する。
【００１７】
また、本発明によれば、複数の局所的通信網側入出力工程において発生する障害を監視し、障害発生時に、直ちに、障害監視工程によって障害の発生が検知された局所的通信網側入出力工程に対応付けられて記憶されている送信元端末識別情報を消去するので、迅速な障害対処が可能になるとともに、対処に関する処理を簡易に行うことが可能になるという効果を奏する。
【００１８】
また、本発明によれば、複数の局所的通信網側入出力工程のうちの少なくとも一つを全てのＶＬＡＮに属させるので、複数の局所的通信網側入出力工程に対して待機系の局所的通信網側入出力工程の数を少なくして回線冗長接続を構成することが可能になるという効果を奏する。
【発明を実施するための最良の形態】
【００１９】
以下に添付図面を参照し、本発明の回線冗長接続方法および広域通信網ノード装置に係る実施例を詳細に説明する。なお、以下に示す実施例では、本発明を、ＳＯＮＥＴ／ＳＤＨを構成するアド／ドロップノード装置と、ＬＡＮ（Local Area Network）を収容するイーサネット（登録商標）装置とを接続する接続方法に適用した場合を示す。以下、ＳＯＮＥＴ／ＳＤＨにより構成される広域通信網をＷＡＮ（Wide Area Network）と呼び、アド／ドロップノード装置をＷＡＮ側ノード装置と呼び、イーサネット（登録商標）装置をＬＡＮ側通信接続装置と呼び、ＷＡＮ側ノード装置およびＬＡＮ側通信接続装置を含み、両者を接続するシステムを通信中継システムと呼ぶこととする。
【実施例】
【００２０】
先ず、実施例にかかる通信中継システムの構成について説明する。図１は、実施例にかかる通信中継システムの構成を示す機能ブロック図である。同図に示すように、実施例にかかる通信中継システムＳは、ＷＡＮ側ノード装置１００と、ＬＡＮ側通信接続装置２００とが接続されて構成される。
【００２１】
通信中継システムＳにおいて、ＷＡＮ側ノード装置１００は、ＷＡＮから入力されたパケットをＬＡＮ側通信接続装置２００へ受け渡し、ＬＡＮ側通信接続装置２００から受け渡されたパケットをＷＡＮへ出力する。また、ＬＡＮ側通信接続装置２００は、ＬＡＮから入力されたパケットをＷＡＮ側ノード装置１００へ受け渡し、ＷＡＮ側ノード装置１００から受け渡されたパケットをＬＡＮへ出力する。
【００２２】
ＷＡＮ側ノード装置１００は、切り換え制御部１０１と、障害監視部１０２と、ＬＡＮ側第１入出力部１０３ａと、ＬＡＮ側第２入出力部１０３ｂと、ＷＡＮ側入出力部１０４とを有する。ここで、ＬＡＮ側第１入出力部１０３ａが運用系であり、ＬＡＮ側第２入出力部１０３ｂが待機系であるとする。なお、ＬＡＮ側第１入出力部１０３ａおよびＬＡＮ側第２入出力部１０３ｂをＬＡＮ側入出力部と総称する。
【００２３】
切り換え制御部１０１は、ＬＡＮ側通信接続装置２００からパケットを受信するＬＡＮ側第１入出力部１０３ａとＬＡＮ側第２入出力部１０３ｂとのいずれかを選択して切り換えるスイッチと、ＬＡＮ側通信接続装置２００へパケットを送信するＬＡＮ側第１入出力部１０３ａとＬＡＮ側第２入出力部１０３ｂとのいずれかを選択して切り換えるブリッジとを含む。スイッチおよびブリッジは、連動して動作し、同一のＬＡＮ側入出力部を選択して切り換える。
【００２４】
障害監視部１０２は、ＬＡＮ側第１入出力部１０３ａおよびＬＡＮ側第２入出力部１０３ｂにおいて発生しうる障害を監視する。一般的にこの障害には、ＷＡＮ側ノード装置１００のＬＡＮ側第１入出力部１０３ａと第１ポート部２０３ａとを接続する回線（光ケーブル等）の障害と、ＷＡＮ側ノード装置１００のＬＡＮ側第２入出力部１０３ｂと第２ポート部２０３ｂとを接続する回線（光ケーブル等）の障害とが含まれる。ＬＡＮ側第１入出力部１０３ａまたはＬＡＮ側第２入出力部１０３ｂにおいて障害が発生したことを検知したならば、該障害の発生を切り換え制御部１０１へと通知する。この通知を受けた切り換え制御部１０１は、障害が発生したＬＡＮ側入出力部の選択を中止し、他のＬＡＮ側入出力部を選択して切り換える。
【００２５】
ＬＡＮ側第１入出力部１０３ａおよびＬＡＮ側第２入出力部１０３ｂは、ＷＡＮからＷＡＮ側ノード装置１００へ入力されたパケットをＬＡＮ側通信接続装置２００へ受け渡すためのインターフェースである。ＷＡＮからＷＡＮ側ノード装置１００へ入力されたパケットは、切り換え制御部１０１による切り換え制御によって、ＬＡＮ側第１入出力部１０３ａまたはＬＡＮ側第２入出力部１０３ｂのいずれか一方の、切り換え制御部１０１により選択されている方を介してＬＡＮ側通信接続装置２００へ受け渡される。
【００２６】
ＷＡＮ側入出力部１０４は、ＷＡＮからＷＡＮ側ノード装置１００へ入力されたパケットを切り換え制御部１０１へ受け渡し、切り換え制御部１０１から受け渡されたパケットをＷＡＮへ出力するためのインターフェースである。
【００２７】
ＬＡＮ側通信接続装置２００は、ポート選択部２０１と、障害監視部２０２と、第１ポート部２０３ａと、第２ポート部２０３ｂと、中継ポート部２０４と、ＭＡＣテーブル２０５ａを有するＭＡＣアドレス記憶部２０５とを有する。なお、第１ポート部２０３ａおよび第２ポート部２０３ｂをポート部と総称する。また、第１ポート部２０３ａは、ＷＡＮ側ノード装置１００のＬＡＮ側第１入出力部１０３ａと通信可能に接続されており、第２ポート部２０３ｂは、ＷＡＮ側ノード装置１００のＬＡＮ側第２入出力部１０３ｂと通信可能に接続されている。よって、第１ポート部２０３ａが運用系であり、第２ポート部２０３ｂが待機系である。
【００２８】
ポート選択部２０１は、ＭＡＣアドレス記憶部２０５のＭＡＣテーブル２０５ａを参照して、ＷＡＮ側ノード装置１００へパケットを送信するためのポート部を選択する。具体的には、受信したパケットに含まれる送信元端末識別情報と、受信したポート部の識別情報との対応をＭＡＣテーブル２０５ａに記憶しておき、送信すべきパケットの送信先パケットの端末識別情報がＭＡＣテーブル２０５ａに記憶されていた場合、該端末識別情報に対応する該ポート部の識別情報に従ってパケットを送信するポート部を選択する。
【００２９】
障害監視部２０２は、第１ポート部２０３ａおよび第２ポート部２０３ｂにおいて発生しうる障害を監視する。一般的にこの障害には、ＷＡＮ側ノード装置１００のＬＡＮ側第１入出力部１０３ａと第１ポート部２０３ａとを接続する回線（光ケーブル等）の障害と、ＷＡＮ側ノード装置１００のＬＡＮ側第２入出力部１０３ｂと第２ポート部２０３ｂとを接続する回線（光ケーブル等）の障害とが含まれる。第１ポート部２０３ａまたは第２ポート部２０３ｂにおいて障害が発生したことを検知したならば、該障害の発生をＭＡＣアドレス記憶部２０５へと通知する。この通知を受けたＭＡＣアドレス記憶部２０５は、障害が発生したポート部を含むエントリを全て消去する。この消去により、特定の送信元端末識別情報を持つパケットが、該障害が発生したポート部を選択してＷＡＮ側ノード装置１００へ受け渡されることはなくなる。このとき、ＭＡＣテーブル２０５ａに該端末識別情報を含むエントリがないパケットについては、フラッディング動作として、全てのポート部を介してＷＡＮ側ノード装置１００へ受け渡されることとなる。
【００３０】
第１ポート部２０３ａおよび第２ポート部２０３ｂは、ＬＡＮからＬＡＮ側通信接続装置２００へ入力されたパケットをＷＡＮ側ノード装置１００へ受け渡すためのインターフェースである。ＬＡＮからＬＡＮ側通信接続装置２００へ入力されたパケットは、ポート選択部２０１による選択によって、第１ポート部２０３ａおよび／または第２ポート部２０３ｂを介してＷＡＮ側ノード装置１００へ受け渡される。
【００３１】
中継ポート部２０４は、ＬＡＮからＬＡＮ側通信接続装置２００へ入力されたパケットをポート選択部２０１へ受け渡し、ポート選択部２０１から受け渡されたパケットをＬＡＮへ出力するためのインターフェースである。
【００３２】
ＭＡＣアドレス記憶部２０５は、ＭＡＣテーブル２０５ａを含み、ＭＡＣテーブル２０５ａに記憶される情報の記憶管理を行う。特に、障害監視部２０２によってポート部における障害の発生が検知され、該検知の通知を受け、障害が発生したポート部の識別情報を含む全てのエントリをＭＡＣテーブル２０５ａから消去する。
【００３３】
次に、図１に示した通信中継システムの動作例を説明する。図２−１〜図２−１２は、実施例にかかる通信中継システムの動作例を示す図である。図２−１〜図２−１２は、通信中継システムの動作例を時系列に示す。先ず、図２−１に示す実施例にかかる通信中継システムの動作例を示す図（その１）を参照し、パケットを受信したときのＬＡＮ側通信接続装置における動作について説明する。図２−１に示すPort:A（ポートＡ）は中継ポート部２０４に対応し、Port:B（ポートＢ）は第１ポート部２０３ａに対応し、Port:C（ポートＣ）は第２ポート部２０３ｂに対応する。
【００３４】
図２−１では、（１）先ず、ＬＡＮ側通信接続装置２００が、ポートＡにて、ＬＡＮから入力された、ＳＡ（Source Address、送信元アドレス）が“00-00-00-00-00-01”、ＤＡ（Destination Address、宛て先アドレス）が“00-00-00-00-00-02”、VLAN IDが“10”に設定されたパケットを受信する。（２）そして、ＬＡＮ側通信接続装置２００は、ＭＡＣテーブル２０５ａに、ポートが“ポートＡ”、VLAN IDが“10”、ＭＡＣアドレスが“00-00-00-00-00-01”のエントリ（レコード）を追加する。
【００３５】
すなわち、受信したパケットに含まれる送信元端末識別情報（ＳＡ）と、該パケットを受信したポートの識別情報（ポートＡ）との対応を、ＶＬＡＮ識別子としてのVLAN IDとともに記憶（学習）する。
【００３６】
続いて、図２−２に示す実施例にかかる通信中継システムの動作例を示す図（その２）を参照する。図２−２では、ＬＡＮ側通信接続装置２００は、ＭＡＣテーブル２０５ａを参照し、“00-00-00-00-00-02”のアドレスを含むエントリを検索し、対応するポートを探索する。この時点でアドレス“00-00-00-00-00-02”はＭＡＣテーブル２０５ａにおいて未学習である場合を想定している。このため、該当パケットの受信元ポートであるポートＡ以外の全ポート（ポートＢおよびポートＣ）を介して該パケットを送信する。
【００３７】
続いて、図２−３に示す実施例にかかる通信中継システムの動作例を示す図（その３）を参照して、ＷＡＮ側ノード装置１００の動作を説明する。図２−３に示す“Work側”はＷＡＮ側ノード装置１００のＬＡＮ側第１入出力部１０３ａに相当し、“Protection側”はＷＡＮ側ノード装置１００のＬＡＮ側第２入出力部１０３ｂに相当し、“WAN側”がＷＡＮ側入出力部１０４に相当する。そして、ＬＡＮ側通信接続装置２００とＷＡＮ側ノード装置１００とを接続する前者の回線をWork回線と呼び、後者の回線をProtection回線と呼ぶ。
【００３８】
図２−３では、ＷＡＮ側ノード装置１００は、ＬＡＮ側通信接続装置２００のPort:Bからのパケットを“Work側”で受信し、Port:Cからのパケットを“Protection側”で受信する。図２−２で説明したとおり、Port:BおよびPort:Cが受信するパケットは、ＬＡＮ側通信接続装置２００のフラッディング動作に基づくパケットであり、同一のパケットである。
【００３９】
Work／Protection回線両系から同一のパケットを受信したＷＡＮ側ノード装置１００は、切り換え制御部１０１の機能により、一方から受信したパケットのみを“WAN側”へ送信する。すなわち、ＷＡＮ側ノード装置１００では、切り換え制御部１０１が選択しているWork側のパケットのみを“WAN側”へ送信する。
【００４０】
続いて、図２−４に示す実施例にかかる通信中継システムの動作例を示す図（その４）を参照して、ＷＡＮ側からパケットを受信したＷＡＮ側ノード装置の動作を説明する。図２−４に示すように、ＬＡＮ側通信接続装置２００からＷＡＮ側ノード装置１００へ入力された受信パケットに応答してＷＡＮから送信される応答パケットは、ＷＡＮ側ノード装置１００へ入力されると、ＷＡＮ側ノード装置１００によって、ブリッジ機能により、WorkまたはProtectionの一方の回線のみを使ってＬＡＮ側通信接続装置２００へと送信される。図２−４では、切り換え制御部１０１の機能によって“Work側”が選択されているので、応答パケットは、Work回線を使ってＬＡＮ側通信接続装置２００へ送信されることとなる。
【００４１】
続いて、図２−５に示す実施例にかかる通信中継システムの動作例を示す図（その５）を参照し、ＷＡＮ側ノード装置からパケットを受信したＬＡＮ側通信接続装置の動作を説明する。同図に示すように、ＬＡＮ側通信接続装置２００では、ＷＡＮ側ノード装置１００のWork回線から送信されたパケットが、ＬＡＮ側通信接続装置２００のPort:Bへ入力される。すなわち、ＬＡＮ側通信接続装置２００は、このポートＢにて、ＳＡが“00-00-00-00-00-02”、ＤＡが“00-00-00-00-00-01”、VLAN IDが“10”に設定されたパケットを受信する。
【００４２】
続いて、図２−６に示す実施例にかかる通信中継システムの動作例を示す図（その６）を参照し、ＷＡＮ側ノード装置からパケットを受信したＬＡＮ側通信接続装置において行われるＭＡＣテーブル２０５ａの学習を説明する。図２−６に示すように、ＬＡＮ側通信接続装置２００は、ポートＢにて、ＳＡが“00-00-00-00-00-02”、ＤＡが“00-00-00-00-00-01”、VLAN IDが“10”に設定されたパケットを受信すると、ＭＡＣテーブル２０５ａに、ポートが“ポートＢ”、VLAN IDが“10”、ＭＡＣアドレスが“00-00-00-00-00-02”に設定されたエントリを追加する。
【００４３】
続いて、図２−７に示す実施例にかかる通信中継システムの動作例を示す図（その７）を参照し、ＬＡＮ側通信接続装置におけるパケットを受信について説明する。図２−７に示すように、ＬＡＮ側通信接続装置２００は、ポートＡにて、ＬＡＮから入力された、ＳＡが“00-00-00-00-00-01”、ＤＡが“00-00-00-00-00-02”、VLAN IDが“10”に設定されたパケットを再び受信する。
【００４４】
続いて、図２−８に示す実施例にかかる通信中継システムの動作例を示す図（その８）を参照し、パケットを受信したときのＬＡＮ側通信接続装置における動作について説明する。図２−８では、ＬＡＮ側通信接続装置２００は、ＭＡＣテーブル２０５ａを参照し、“00-00-00-00-00-02”のアドレスを含むエントリを検索し、対応するポートを探索する。この時点でアドレス“00-00-00-00-00-02”はＭＡＣテーブル２０５ａに既に学習済みのため、アドレス“00-00-00-00-00-02”に対応付けられて記憶されているポートＢを介してパケットを送信する。
【００４５】
続いて、図２−９に示す実施例にかかる通信中継システムの動作例を示す図（その９）を参照し、接続回線に障害が発生した時のＬＡＮ側通信接続装置の動作について説明する。図２−９に示すように、図２−１の（２）および図２−６に示したＷＡＮ側ノード装置１００へのパケット送信およびＷＡＮ側ノード装置１００からのパケット受信を繰り返してＭＡＣテーブル２０５ａに学習結果が蓄積された後に、ＬＡＮ側通信接続装置２００のポートＢで障害が発生したとする。該障害の発生は、ＷＡＮ側ノード装置１００でも検出される。
【００４６】
続いて、図２−１０に示す実施例にかかる通信中継システムの動作例を示す図（その１０）を参照して、接続回線に障害が発生した時のＬＡＮ側通信接続装置の動作について説明する。図２−１０に示すように、ＬＡＮ側通信接続装置２００は、ＭＡＣテーブル２０５ａを参照し、“ポートＢ”を含むエントリを全て削除する。
【００４７】
続いて、図２−１１に示す実施例にかかる通信中継システムの動作例を示す図（その１１）を参照して、接続回線に障害が発生した後にＷＡＮ側からパケットを受信したＷＡＮ側ノード装置の動作を説明する。図２−１１に示すように、ポートＢでの障害発生を検出したれたＷＡＮ側ノード装置１００は、切り換え制御部１０１によりスイッチおよびブリッジを同期させて、すなわち、ＷＡＮ側へのパケット送信と、ＬＡＮ側へのパケット送信とを同期させて“Work側”から“Protection側”への切り換えを行う。図２−１１では、切り換え制御部１０１によるスイッチ機能およびブリッジ機能の切り換えによって“Protection側”が選択されることとなるので、ＷＡＮからの応答パケットは、Protection回線を使ってＬＡＮ側通信接続装置２００へ送信されることとなる。
【００４８】
続いて、図２−１２に示す実施例にかかる通信中継システムの動作例を示す図（その１２）を参照して、接続回線に障害が発生した後にパケットを受信したＬＡＮ側通信接続装置の動作について説明する。ここでは、図２−１（１）と同様に、ＬＡＮ側通信接続装置２００が、ポートＡにて、ＬＡＮから入力された、ＳＡが“00-00-00-00-00-01”、ＤＡが“00-00-00-00-00-02”、VLAN IDが“10”に設定されたパケットを再び受信した場合を想定している。
【００４９】
続いて、図２−１３に示す実施例にかかる通信中継システムの動作例を示す図（その１３）を参照して、接続回線に障害が発生した後にパケットを受信したＬＡＮ側通信接続装置の動作について説明する。
【００５０】
このとき、図２−１０に示した通信中継システムの動作によって、ＭＡＣテーブル２０５ａの“ポートＢ”で学習されていたエントリは全て削除されている。
【００５１】
よって、ＬＡＮ側通信接続装置２００は、図２−２における動作と同様に、受信したパケットのＤＡである“00-00-00-00-00-02”を検索キーとして、ＭＡＣテーブル２０５ａを検索する。上記したように、この時点でアドレス“00-00-00-00-00-02”はＭＡＣテーブル２０５ａにおいて全て削除されて未学習となっているため、ＬＡＮ側通信接続装置２００は、フラッディング動作に移行する。すなわち、該パケットを受信したポートであるポートＡ以外の全ポート（ポートＢおよびポートＣ）を介してパケットを送信することとなる。
【００５２】
以降、前述と同様の動作によって、Protection回線を介して、ＭＡＣテーブルの学習が順次行われ、Protection回線を使用したパケットの送受信が行われることとなる。
【００５３】
以上説明したように、上記実施例によれば、ＬＡＮ側通信接続装置２００に特別な装置構成を必要とすることなく、ＷＡＮ側ノード装置１００側で通信リンクを落とす制御を行わず、また、Link Aggregationを使用することなく、ＷＡＮ側ノード装置１００とＬＡＮ側通信接続装置２００との接続回線による接続を冗長にすることが可能になる。
【００５４】
また、上記実施例によれば、障害監視部１０２または障害監視部２０２は、ＷＡＮ側ノード装置１００とＬＡＮ側通信接続装置２００との接続回線で発生する障害を含む障害を監視し、障害発生時に、直ちに、切り換え制御部１０１によって、切り換え制御部１０１により選択されているＬＡＮ側第１入出力部１０３ａまたはＬＡＮ側第２入出力部１０３ｂのいずれかへと切り換えるので、迅速な障害対処が可能になる。
【００５５】
また、上記実施例によれば、障害監視部１０２または障害監視部２０２は、ＷＡＮ側ノード装置１００とＬＡＮ側通信接続装置２００との接続回線で発生する障害を含む障害を監視し、障害発生時に、直ちに、ＭＡＣアドレス記憶部２０５はＭＡＣテーブル２０５ａから、障害が発生した接続回線が接続されているポートを含むエントリを全て消去するので、迅速な障害対処が可能になるとともに、ＬＡＮ側通信接続装置２００のフラッディング動作を利用して障害対処を簡易に行うことが可能になる。
【００５６】
次に、他の実施例（その１）にかかる通信中継システムの構成について説明する。図３は、他の実施例（その１）にかかる通信中継システムの構成を示す機能ブロック図である。同図に示すように、他の実施例（その１）にかかる通信中継システムＳは、図１に示したＷＡＮ側ノード装置１００のＬＡＮ側第１入出力部１０３ａおよびＬＡＮ側第２入出力部１０３ｂに対して、それぞれ異なるＬＡＮ側通信接続装置２００ａおよびＬＡＮ側通信接続装置２００ｂが接続されていてもよい。
【００５７】
ここで、ＬＡＮ側通信接続装置２００ａおよびＬＡＮ側通信接続装置２００ｂは、それぞれ、ポート選択部２０１と、障害監視部２０２と、ポート部２０３と、中継ポート部２０４と、ＭＡＣテーブル２０５ａを有するＭＡＣアドレス記憶部２０５とを有する。ＬＡＮ側通信接続装置２００ａのポート部２０３は、ＷＡＮ側ノード装置１００のＬＡＮ側第１入出力部１０３ａとの間でパケットを授受し、ＬＡＮ側通信接続装置２００ｂのポート部２０３は、ＷＡＮ側ノード装置１００のＬＡＮ側第２入出力部１０３ｂとの間でパケットを授受するように接続されている。図１に示したＷＡＮ側ノード装置１００と同様に、ＬＡＮ側第１入出力部１０３ａが運用系であり、ＬＡＮ側第２入出力部１０３ｂが待機系であるとすると、ＬＡＮ側通信接続装置２００ａが運用系であり、ＬＡＮ側通信接続装置２００ｂが待機系となる。
【００５８】
このように、ＷＡＮ側ノード装置１００のＬＡＮ側第１入出力部１０３ａとＬＡＮ側第２入出力部１０３ｂとで接続するＬＡＮ側通信接続装置２００を異ならせることが可能であるのは、ＬＡＮ側通信接続装置２００からＷＡＮ側ノード装置１００へのパケット送信にかかわらず、ＷＡＮ側ノード装置１００におけるスイッチおよびブリッジの切り換えによる通信経路が確立されていない場合には、ＷＡＮ側ノード装置１００からＬＡＮ側通信接続装置２００へ応答パケットが送信されないからである。
【００５９】
この場合、ＬＡＮ側通信接続装置２００は、ＷＡＮ側ノード装置１００へのパケットの出力ポートを学習しないため、常に、全てのポートを介してＷＡＮ側ノード装置１００へパケットを送信することなる（フラッディング動作）。このような状況で、ＷＡＮ側ノード装置１００におけるスイッチおよびブリッジの切り換えによる通信経路が確立されると、ＷＡＮ側ノード装置１００からＬＡＮ側通信接続装置２００へ応答パケットが送信され、ＬＡＮ側通信接続装置２００は、ＷＡＮ側ノード装置１００へのパケットの出力ポートを学習することとなり、これ以降、学習された出力ポートを介してＷＡＮ側ノード装置１００へパケットを送信することとなる。
【００６０】
このように、ＷＡＮ側ノード装置１００のＬＡＮ側入出力部毎に接続するＬＡＮ側通信接続装置２００を異ならせると、ＬＡＮ側通信接続装置２００自体の故障によってＷＡＮ側ノード装置１００とＬＡＮ側通信接続装置２００との間の通信経路の迂回経路を確保することが不可能になるという不都合を回避することが可能となる。
【００６１】
次に、他の実施例（その２）にかかる通信中継システムの構成について説明する。図４は、他の実施例（その２）にかかる通信中継システムの構成を示す機能ブロック図である。他の実施例（その２）では、上記実施例および他の実施例（その１）に示したように、１系統の運用系に対して１系統の待機系が対応する構成であった。しかし、本発明は、これに限らず、複数系統の運用系に対して１系統の待機系が対応する構成であっても適用可能である。同図に示すように、他の実施例（その２）にかかる通信中継システムＳは、ＷＡＮ側ノード装置１００と、ＬＡＮ側通信接続装置２００とが接続されて構成される。
【００６２】
他の実施例（その２）にかかる通信中継システムＳのＷＡＮ側ノード装置１００は、切り換え制御部１０１と、障害監視部１０２と、ＬＡＮ側第１入出力部１０３ａと、ＬＡＮ側第２入出力部１０３ｂと、ＬＡＮ側第３入出力部１０３ｃと、ＬＡＮ側第４入出力部１０３ｄと、ＷＡＮ側入出力部１０４とを有する。なお、ＬＡＮ側第１入出力部１０３ａ、ＬＡＮ側第２入出力部１０３ｂ、ＬＡＮ側第３入出力部１０３ｃ、ＬＡＮ側第４入出力部１０３ｄをＬＡＮ側入出力部と総称する。ここで、ＬＡＮ側第１入出力部１０３ａ、ＬＡＮ側第２入出力部１０３ｂおよびＬＡＮ側第３入出力部１０３ｃが運用系であり、ＬＡＮ側第４入出力部１０３ｄが待機系であるとする。
【００６３】
切り換え制御部１０１は、ＬＡＮ側通信接続装置２００からパケットを受信するＬＡＮ側入出力部を選択して切り換えるスイッチと、ＬＡＮ側通信接続装置２００へパケットを送信するＬＡＮ側入出力部を選択して切り換えるブリッジとを含む。スイッチおよびブリッジは、連動して動作し、同一のＬＡＮ側入出力部を選択して切り換える。
【００６４】
なお、他の実施例（その２）にかかるＷＡＮ側ノード装置１００のその他の機能ブロックは、図１に示したＷＡＮ側ノード装置１００と同一であるので、ここでの説明を省略する。
【００６５】
また、他の実施例（その２）にかかる通信中継システムＳのＬＡＮ側通信接続装置２００は、ポート選択部２０１と、障害監視部２０２と、VLAN IDが100に設定されている第１ポート部２０３ａと、VLAN IDが200に設定されている第２ポート部２０３ｂと、VLAN IDが300に設定されている第３ポート部２０３ｃと、VLAN IDが100、200、300に設定されている第４ポート部２０３ｄと、中継ポート部２０４と、ＭＡＣテーブル２０５ａを有するＭＡＣアドレス記憶部２０５とを有する。
【００６６】
ここで、第１ポート部２０３ａ、第２ポート部２０３ｂ、第３ポート部２０３ｃおよび第４ポート部２０３ｄをポート部と総称する。また、第１ポート部２０３ａは、ＷＡＮ側ノード装置１００のＬＡＮ側第１入出力部１０３ａと通信可能に接続されており、第２ポート部２０３ｂは、ＷＡＮ側ノード装置１００のＬＡＮ側第２入出力部１０３ｂと通信可能に接続されており、第３ポート部２０３ｃは、ＷＡＮ側ノード装置１００のＬＡＮ側第３入出力部１０３ｃと通信可能に接続されており、第４ポート部２０３ｄは、ＷＡＮ側ノード装置１００のＬＡＮ側第４入出力部１０３ｄと通信可能に接続されている。よって、第１ポート部２０３ａ、第２ポート部２０３ｂおよび第３ポート部２０３ｃが運用系であり、第４ポート部２０３ｄが待機系である。
【００６７】
よって、第１ポート部２０３ａとＬＡＮ側第１入出力部１０３ａと結ぶ回線、第２ポート部２０３ｂとＬＡＮ側第２入出力部１０３ｂと結ぶ回線、第３ポート部２０３ｃとＬＡＮ側第３入出力部１０３ｃと結ぶ回線を運用系回線と呼び、第４ポート部２０３ａとＬＡＮ側第４入出力部１０３ｄと結ぶ回線を待機系回線と呼ぶこととする。
【００６８】
なお、他の実施例（その２）にかかるＬＡＮ側通信接続装置２００のその他の機能ブロックは、図１に示したＬＡＮ側通信接続装置２００と同一であるので、ここでの説明を省略する。
【００６９】
上記のような構成の場合は、ＷＡＮ側ノード装置１００のＬＡＮ側第４入出力部１０３ｄと接続するＬＡＮ側通信接続装置２００の第４ポート部２０３ｄには、運用系のポート部に設定されているVLAN IDをすべて設定する。すなわち、第１ポート部２０３ａに設定されているVLAN ID=100、第２ポート部２０３ｂに設定されているVLAN ID=200および第３ポート部２０３ｃに設定されているVLAN ID=300をすべて第４ポート部２０３ｄに設定する。
【００７０】
このようにすることによって、未学習のＭＡＣアドレスを持つパケットは、第１ポート部２０３ａ（または第２ポート部２０３ｂ／第３ポート部２０３ｃ)と、第４ポート部２０３ｄとから出力される。ＷＡＮ側ノード装置１００側でスイッチおよびブリッジはすべて運用系入出力部を選択しているため、すべてのＭＡＣアドレスは運用系回線側に接続されたポート部でのみ学習される。
【００７１】
いずれかの運用系回線に障害が発生した場合、ＷＡＮ側ノード装置１００側で該当運用系回線上のスイッチおよびブリッジが同期して待機系側回線を選択し、またＬＡＮ側通信接続装置２００側で該当ポート部にて学習しているＭＡＣアドレスの消去を実行することによって、以降のパケットの送受信は待機系回線側を使用して行われることとなる。なお、ある運用系回線が障害によって待機系回線にて救済されている状態で、他の運用系回線に障害が発生した場合は、回線救済は行われない。
【００７２】
このように、複数のポート部と複数のVLANを用いることで、複数の運用系回線を１本の待機系回線で救済することが可能となる。これにより、待機系回線を有しないシングル回線よりも可用性を持つネットワークを、低コストで提供することが可能となる。
【００７３】
上記他の実施例（その２）では、３本の運用系回線を１本の待機系回線で救済する回線冗長方式を示したが、これに限らず、２本または４本以上の運用系回線を１本の待機系回線で救済することとしてもよい。
【００７４】
次に、他の実施例（その３）にかかる通信中継システムの構成について説明する。図５は、他の実施例（その３）にかかる通信中継システムの構成を示す機能ブロック図である。同図に示すように、上記実施例、他の実施例（その１）および他の実施例（その２）に示したように、ＷＡＮ側ノード装置１００のＷＡＮ側入出力部１０４を複数設け（ＷＡＮ側第１入出力部１０４ａ、ＷＡＮ側第２入出力部１０４ｂ）、これらにおける障害の発生を障害監視部１０２に監視させ、運用中のＷＡＮ側入出力部１０４において障害発生を検知したならば、切り換え制御部１０１において該ＷＡＮ側入出力部１０４から他のＷＡＮ側入出力部１０４へとスイッチおよびブリッジを切り換えて、運用回線における障害発生を救済することとしてもよい。
【００７５】
なお、図示はしないが、同様に、ＬＡＮ側通信接続装置２００の中継ポート部２０４を複数設け、これらにおける障害の発生を障害監視部２０２に監視させ、運用中の中継ポート部２０４において障害発生を検知したならば、該中継ポート部２０４から他の中継ポート部２０４へと切り換えて、運用回線における障害発生を救済することとしてもよい。
【００７６】
このように、ＷＡＮ側ノード装置１００およびＬＡＮ側通信接続装置２００それぞれの、外部との接続部分すべてにおける障害発生を監視し、運用中の接続部分において障害発生を検知したならば、該接続部分から他の接続部分へと運用を切り換えて、運用回線における障害発生を救済することとしてもよい。
【００７７】
次に、上記実施例で説明した回線冗長接続方法および広域通信網ノード装置によって、ユーザ端末装置を収容するＬＡＮのＬＡＮ側通信接続装置がＷＡＮ側ノード装置（ＳＯＮＥＴ装置）と冗長に接続され、ＷＡＮ（ＳＯＮＥＴ網）に接続されるネットワーク構成を説明する。図６は、実施例にかかるネットワーク構成を示す図である。
【００７８】
同図に示すように、ＷＡＮ（ＳＯＮＥＴ網）のアド／ドロップノードであるＷＡＮ側ノード装置が局舎Ａ、局舎Ｂおよび局舎Ｃにそれぞれ配されている。これらの局舎ＡのＷＡＮ側ノード装置と、ユーザ宅ＡのＬＡＮに収容されるユーザ端末装置が接続されるルータ／ハブ等のＬＡＮ側通信接続装置とが、それぞれ２重の回線で接続されている。または、ユーザ端末装置は、複数のＬＡＮ側通信接続装置を介してＷＡＮ側ノード装置と接続されてもよい（ユーザ宅Ａの箇所参照）。
【００７９】
このようにすると、ＬＡＮ側通信接続装置において一般的なVLAN機能を用いるため、特別な機器を必要とせず、既存の設備を流用してネットワーク構築が可能となる。また、ＷＡＮ側ノード装置の待機系の通信リンクを落とすことを必要とせず、待機系側回線の障害状況を監視することが可能であり、より可用性が高まる。
【００８０】
また、Link Aggregation機能の動作を必要としないため、運用系回線／待機系回線を構成するＬＡＮ側ノード装置を複数用いてＬＡＮ側通信接続装置とＷＡＮ側ノード装置との間の通信回線を冗長できるため、より信頼性が高まる。また、複数の運用系回線に対して１本の待機系回線を準備するだけでよくなるため、回線コストをより下げることが可能となる。
【００８１】
以上、本発明の実施例を説明したが、本発明は、これに限られるものではなく、特許請求の範囲に記載した技術的思想の範囲内で、更に種々の異なる実施例で実施されてもよいものである。また、実施例に記載した効果は、これに限定されるものではない。
【００８２】
また、上記実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記実施例で示した処理手順、制御手順、具体的名称、各種のデータやパラメータを含む情報については、特記する場合を除いて任意に変更することができる。
【００８３】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００８４】
さらに、各装置にて行なわれる各処理機能は、その全部または任意の一部が、ＣＰＵ（Central Processing Unit）（またはＭＰＵ（Micro Processing Unit）、ＭＣＵ（Micro Controller Unit）などのマイクロ・コンピュータ）および当該ＣＰＵ（またはＭＰＵ、ＭＣＵなどのマイクロ・コンピュータ）にて解析実行されるプログラムにて実現され、あるいは、ワイヤードロジックによるハードウェアとして実現されてもよい。
【００８５】
（付記１）広域通信網を構成する広域通信網ノード装置と、局所的通信網を構成する局所的通信網接続装置とを通信可能に冗長接続する回線冗長接続方法であって、
前記広域通信網ノード装置において、前記広域通信網と前記局所的通信網との間で送受信されるパケットを、複数の広域通信網側入出力工程のうちのいずれかを介して送受信するように切り換える切り換え制御工程を含み、
前記切り換え制御工程によって切り換えられている広域通信網側入出力工程を介して、前記局所的通信網から前記広域通信網へのパケットが受信されるとともに、該広域通信網から該局所的通信網へのパケットが送信されることを特徴とする回線冗長接続方法。
【００８６】
（付記２）前記複数の広域通信網側入出力工程において発生する障害を監視する広域通信網側障害監視工程をさらに含み、
前記切り換え制御工程は、前記広域通信網側障害監視工程によって障害の発生が検知されると、該障害監視工程によって障害の発生が検知された際に切り換えられている広域通信網側入出力工程とは異なる他の広域通信網側入出力工程へと切り換えることを特徴とする付記１に記載の回線冗長接続方法。
【００８７】
（付記３）前記局所的通信網接続装置において受信したパケットの送信元端末識別情報を、該パケットを受信した入出力工程の識別情報に対応付けて記憶する送信元端末識別情報記憶工程と、
前記局所的通信網から前記広域通信網への送信パケットを、前記送信元端末識別情報記憶工程によって記憶される前記入出力工程の識別情報に基づき複数の局所的通信網側入出力工程から選択した局所的通信網側入出力工程を介して前記広域通信網ノード装置へと送信する入出力工程選択工程と、
前記局所的通信網側入出力工程において発生する障害を監視する局所的通信網側障害監視工程と、
前記局所的通信網側障害監視工程によって障害の発生が検知されると、該局所的通信網側障害監視工程によって障害の発生が検知された局所的通信網側入出力工程に対応付けられて記憶されている前記送信元端末識別情報を消去する送信元端末識別情報消去工程と
をさらに含んだことを特徴とする付記１または２に記載の回線冗長接続方法。
【００８８】
（付記４）前記複数の局所的通信網側入出力工程は、全ての局所的通信網側入出力工程が属するＶＬＡＮ（Virtual Local Area Network）全部に属する局所的通信網側入出力工程を少なくとも一つ含むことを特徴とする付記３に記載の回線冗長接続方法。
【００８９】
（付記５）局所的通信網を構成する局所的通信網接続装置と通信可能に冗長接続される広域通信網を構成する広域通信網ノード装置であって、
前記広域通信網と前記局所的通信網との間で送受信されるパケットを入出力する複数の広域通信網側入出力手段と、
前記複数の広域通信網側入出力手段のうちのいずれかを介して前記パケットを送受信するように切り換える切り換え制御手段と
を備え、
前記切り換え制御手段によって切り換えられている広域通信網側入出力手段を介して、前記局所的通信網から前記広域通信網へのパケットが受信されるとともに、該広域通信網から該局所的通信網へのパケットが送信されることを特徴とする広域通信網ノード装置。
【００９０】
（付記６）前記複数の広域通信網側入出力手段において発生する障害を監視する障害監視手段をさらに備え、
前記切り換え制御手段は、前記障害監視手段によって障害の発生が検知されると、該障害監視手段によって障害の発生が検知された際に切り換えられている広域通信網側入出力手段とは異なる他の広域通信網側入出力手段へと切り換えることを特徴とする付記５に記載の広域通信網ノード装置。
【００９１】
（付記７）広域通信網を構成する広域通信網接続装置と通信可能に冗長接続される局所的通信網を構成する局所的通信網接続装置であって、
受信したパケットの送信元端末識別情報を、該パケットを受信した入出力手段の識別情報に対応付けて記憶する送信元端末識別情報記憶手段と、
前記局所的通信網から前記広域通信網への送信パケットを、前記送信元端末識別情報記憶手段によって記憶される前記入出力手段の識別情報に基づき複数の局所的通信網側入出力手段から選択した局所的通信網側入出力手段を介して前記広域通信網ノード装置へと送信する入出力工程選択手段と、
前記局所的通信網側入出力手段において発生する障害を監視する障害監視手段と、
前記障害監視手段によって障害の発生が検知されると、該障害監視手段によって障害の発生が検知された局所的通信網側入出力手段に対応付けられて記憶されている前記送信元端末識別情報を消去する送信元端末識別情報消去手段と
を備えたことを特徴とする局所的通信網接続装置。
【００９２】
（付記８）前記複数の局所的通信網側入出力手段は、全ての局所的通信網側入出力手段が属するＶＬＡＮ（Virtual Local Area Network）全部に属する局所的通信網側入出力手段を少なくとも一つ含むことを特徴とする付記７に記載の局所的通信網接続装置。
【００９３】
（付記９）広域通信網を構成する広域通信網ノード装置と、局所的通信網を構成する局所的通信網接続装置とを通信可能に冗長接続する冗長接続システムであって、
前記広域通信網ノード装置において、前記広域通信網と前記局所的通信網との間で送受信されるパケットを、複数の広域通信網側入出力手段のうちのいずれかを介して送受信するように切り換える切り換え制御手段を備え、
前記切り換え制御手段によって切り換えられている広域通信網側入出力手段を介して、前記局所的通信網から前記広域通信網へのパケットが受信されるとともに、該広域通信網から該局所的通信網へのパケットが送信されることを特徴とする冗長接続システム。
【００９４】
（付記１０）前記複数の広域通信網側入出力手段において発生する障害を監視する障害監視手段をさらに備え、
前記切り換え制御手段は、前記障害監視手段によって障害の発生が検知されると、該障害監視手段によって障害の発生が検知された際に切り換えられている広域通信網側入出力手段とは異なる他の広域通信網側入出力手段へと切り換えることを特徴とする付記９に記載の冗長接続システム。
【００９５】
（付記１１）前記局所的通信網接続装置において受信したパケットの送信元端末識別情報を、該パケットを受信した入出力手段の識別情報に対応付けて記憶する送信元端末識別情報記憶手段と、
前記局所的通信網から前記広域通信網への送信パケットを、前記送信元端末識別情報記憶手段によって記憶される前記入出力手段の識別情報に基づき複数の局所的通信網側入出力手段から選択した局所的通信網側入出力手段を介して前記広域通信網ノード装置へと送信する入出力工程選択手段と、
前記局所的通信網側入出力手段において発生する障害を監視する障害監視手段と、
前記障害監視手段によって障害の発生が検知されると、該障害監視手段によって障害の発生が検知された局所的通信網側入出力手段に対応付けられて記憶されている前記送信元端末識別情報を消去する送信元端末識別情報消去手段と
を備えたことを特徴とする付記９または１０に記載の冗長接続システム。
【００９６】
（付記１２）前記複数の局所的通信網側入出力手段は、全ての局所的通信網側入出力手段が属するＶＬＡＮ（Virtual Local Area Network）全部に属する局所的通信網側入出力手段を少なくとも一つ含むことを特徴とする付記１１に記載の冗長接続システム。
【産業上の利用可能性】
【００９７】
本発明は、ＭＡＣアドレス学習機能を持たないスイッチ装置とＭＡＣアドレス学習機能を持つスイッチ装置との間の接続を冗長構成としたい場合に有用であり、局所的通信網接続装置側で特別な装置構成を必要とせず、広域通信網ノード装置と局所的通信網接続装置とを通信可能に冗長接続したい場合に有効である。
【図面の簡単な説明】
【００９８】
【図１】実施例にかかる通信中継システムの構成を示す機能ブロック図である。
【図２−１】実施例にかかる通信中継システムの動作例を示す図（その１）である。
【図２−２】実施例にかかる通信中継システムの動作例を示す図（その２）である。
【図２−３】実施例にかかる通信中継システムの動作例を示す図（その３）である。
【図２−４】実施例にかかる通信中継システムの動作例を示す図（その４）である。
【図２−５】実施例にかかる通信中継システムの動作例を示す図（その５）である。
【図２−６】実施例にかかる通信中継システムの動作例を示す図（その６）である。
【図２−７】実施例にかかる通信中継システムの動作例を示す図（その７）である。
【図２−８】実施例にかかる通信中継システムの動作例を示す図（その８）である。
【図２−９】実施例にかかる通信中継システムの動作例を示す図（その９）である。
【図２−１０】実施例にかかる通信中継システムの動作例を示す図（その１０）である。
【図２−１１】実施例にかかる通信中継システムの動作例を示す図（その１１）である。
【図２−１２】実施例にかかる通信中継システムの動作例を示す図（その１２）である。
【図２−１３】実施例にかかる通信中継システムの動作例を示す図（その１３）である。
【図３】他の実施例（その１）にかかる通信中継システムの構成を示す機能ブロック図である。
【図４】他の実施例（その２）にかかる通信中継システムの構成を示す機能ブロック図である。
【図５】他の実施例（その３）にかかる通信中継システムの構成を示す機能ブロック図である。
【図６】実施例にかかるネットワーク構成を示す図である。
【符号の説明】
【００９９】
Ｓ    通信中継システム
１００    ＷＡＮ側ノード装置
１０１    切り換え制御部
１０２    障害監視部
１０３ａ    ＬＡＮ側第１入出力部
１０３ｂ    ＬＡＮ側第２入出力部
１０３ｃ    ＬＡＮ側第３入出力部
１０３ｄ    ＬＡＮ側第４入出力部
１０４    ＷＡＮ側入出力部
１０４ａ    ＷＡＮ側第１入出力部
１０４ｂ    ＷＡＮ側第２入出力部
２００、２００ａ、２００ｂ    ＬＡＮ側通信接続装置
２０１    ポート選択部
２０２    障害監視部
２０３    ポート部
２０３ａ    第１ポート部
２０３ｂ    第２ポート部
２０３ｃ    第３ポート部
２０３ｄ    第４ポート部
２０４    中継ポート部
２０５    ＭＡＣアドレス記憶部
２０５ａ    ＭＡＣテーブル
【図１】
2008167315.tif 000003
【図２−１】
2008167315.tif 000004
【図２−２】
2008167315.tif 000005
【図２−３】
2008167315.tif 000006
【図２−４】
2008167315.tif 000007
【図２−５】
2008167315.tif 000008
【図２−６】
2008167315.tif 000009
【図２−７】
2008167315.tif 000010
【図２−８】
2008167315.tif 000011
【図２−９】
2008167315.tif 000012
【図２−１０】
2008167315.tif 000013
【図２−１１】
2008167315.tif 000014
【図２−１２】
2008167315.tif 000015
【図２−１３】
2008167315.tif 000016
【図３】
2008167315.tif 000017
【図４】
2008167315.tif 000018
【図５】
2008167315.tif 000019
【図６】
2008167315.tif 000020